(57)【要約】【課題】メモリバックアップ用電池の不必要な消耗を防ぎ、メモリ資源の有効な活用を図ることが可能な記憶制御装置および方法を提供することを目的とする。【解決手段】電圧監視部１７は電源ライン２３の電圧を監視し、電圧の低下を検知した際には制御部１６に電圧の低下を知らせ、制御部１６は電圧の低下の知らせを受け取ると、切替制御部１８に対してスイッチＡ１９、スイッチＢ２０の切り替えを指示し、切替制御部１８は指示を受け取ると、スイッチＡ１９、スイッチＢ２０の切り替えを行う。なお、制御部１６はスキャナモジュール部１０での原稿のスキャン状況、ＦＡＸ送信の状況またはＦＡＸ受信データの相手先情報に基づき、切替制御部１８に対してスイッチＡ１９またはスイッチＢ２０の切り替えを指示する。【選択図】  図２
2005018444.tif 000002
【特許請求の範囲】
【請求項１】
データの保持に電力を要するメモリに対して該電力の供給を制御する記憶制御装置において、
主電源の電力を前記メモリに供給する主電源供給手段と、
前記主電源の電力により充電されるバックアップ電力を前記メモリに供給するバックアップ供給手段と、
前記メモリに対する前記主電源供給手段による電力の供給が不可能な時に、該主電源供給手段による電力の供給から前記バックアップ供給手段による電力の供給に切り替える切替手段と、
前記メモリが前記データを記憶する状況に応じて前記切替手段を制御する切替制御手段と
を具備し、
前記切替制御手段は、
前記メモリが前記データを記憶している途中で該データの記憶を中止した場合、前記切替手段による切り替えを禁止する
ことを特徴とする記憶制御装置。
【請求項２】
前記切替制御手段は、
通信回線を介して前記メモリに記憶されているデータを送信する場合、前記切替手段による切り替えを禁止する
ことを特徴とする請求項１記載の記憶制御装置。
【請求項３】
前記切替制御手段は、
前記通信回線を介して前記メモリに記憶されているデータを送信し、該送信が中止になった場合、前記切替手段による切り替えを禁止する
ことを特徴とする請求項２記載の記憶制御装置。
【請求項４】
前記切替制御手段は、
前記通信回線を介して前記メモリに記憶されているデータを送信し、送信先が話し中である場合、前記切替手段による切り替えを許可する
ことを特徴とする請求項３記載の記憶制御装置。
【請求項５】
前記主電源供給手段の電圧を監視する電圧監視手段
を更に具備し、
前記切替制御手段は、
通信回線を介して前記メモリに記憶されているデータを送信する際に、前記電圧監視手段が前記主電源供給手段の電圧の低下を検出した場合、前記切替手段による切り替えを禁止する
ことを特徴とする請求項１記載の記憶制御装置。
【請求項６】
前記切替制御手段は、
前記通信回線を介して前記メモリに記憶されているデータを時刻指定送信する際に、前記電圧監視手段が前記主電源供給手段の電圧の低下を検出した場合、前記切替手段による切り替えを許可し、指定された時刻まで前記バックアップ供給手段による電力の供給を許可する
ことを特徴とする請求項５記載の記憶制御装置。
【請求項７】
前記切替制御手段は、
前記指定された時刻になると、前記バックアップ供給手段による電力の供給を禁止する
ことを特徴とする請求項６記載の記憶制御装置。
【請求項８】
前記切替制御手段は、
前記通信回線を介して受信したデータを前記メモリに記憶する場合、該データの相手先情報に基づき、前記切替手段による切り替えを許可するか否かを選択する
ことを特徴とする請求項１記載の記憶制御装置。
【請求項９】
前記通信回線を介して受信したデータの内容を文字認識する文字認識手段
を更に具備し、
前記切替制御手段は、
前記文字認識手段で認識した文字内容に基づき、前記切替手段による切り替えを許可するか否かを選択する
ことを特徴とする請求項８記載の記憶制御装置。
【請求項１０】
前記相手先情報に対する前記バックアップ電池供給手段による電力の供給を行うか否かの選択を予め登録する登録手段
を更に具備することを特徴とする請求項８記載の記憶制御装置。
【請求項１１】
前記登録手段に登録する相手先情報は、
相手先名、電話番号、ＦＡＸ番号、電子メールアドレス、タイトル、文字内容である
ことを特徴とする請求項１０記載の記憶制御装置。
【請求項１２】
データの保持に電力を要するメモリに対して該電力の供給を制御する記憶制御方法において、
メモリに対する主電源からの電力の供給が不可能な時に、該メモリに対して該主電源からの電力の供給から、該主電源の電力により充電されるバックアップ電力からの電力の供給に切り替え、
前記メモリが前記データを記憶している途中で該データの記憶を中止した場合、前記切り替えを禁止する
ことを特徴とする記憶制御方法。
【請求項１３】
通信回線を介して前記メモリに記憶されているデータを送信する場合、前記切り替えを禁止する
ことを特徴とする請求項１２記載の記憶制御方法。
【請求項１４】
前記通信回線を介して前記メモリに記憶されているデータを送信し、該送信が中止になった場合、前記切り替えを禁止する
ことを特徴とする請求項１３記載の記憶制御方法。
【請求項１５】
前記通信回線を介して前記メモリに記憶されているデータを送信し、送信先が話し中である場合、前記切り替えを許可する
ことを特徴とする請求項１４記載の記憶制御方法。
【請求項１６】
前記主電源の電圧を監視し、
通信回線を介して前記メモリに記憶されているデータを送信する際に、前記主電源の電圧の低下を検出した場合、前記切り替えを禁止する
ことを特徴とする請求項１２記載の記憶制御方法。
【請求項１７】
前記通信回線を介して前記メモリに記憶されているデータを時刻指定送信する際に、前記主電源の電圧の低下を検出した場合、前記切り替えを許可し、指定された時刻まで該バックアップ電力からの電力の供給を行う
ことを特徴とする請求項１６記載の記憶制御方法。
【請求項１８】
前記指定された時刻になると、前記バックアップ電池からの電力の供給を禁止する
ことを特徴とする請求項１７記載の記憶制御方法。
【請求項１９】
前記通信回線を介して受信したデータを前記メモリに記憶する場合、該データの相手先情報に基づき、前記切り替えを許可するか否かを選択する
ことを特徴とする請求項１２記載の記憶制御方法。
【請求項２０】
前記通信回線を介して受信したデータの内容を文字認識し、
該認識した文字内容に基づき、前記切り替えを許可するか否かを選択する
ことを特徴とする請求項１９記載の記憶制御方法。
【請求項２１】
前記相手先情報に対する前記切り替えを許可するか否かの選択を予め登録する
ことを特徴とする請求項１９記載の記憶制御方法。
【請求項２２】
前記相手先情報は、
相手先名、電話番号、ＦＡＸ番号、電子メールアドレス、タイトル、文字内容である
ことを特徴とする請求項２１記載の記憶制御方法。
【発明の詳細な説明】
【０００１】
【発明の属する技術分野】
本発明は、記憶制御装置および方法に関し、特に、メモリにデータを蓄積する機能を有する機器における記憶制御装置および方法に関する。
【０００２】
【従来の技術】
近年、情報通信技術の発展に伴って、ＰＣ（パーソナルコンピュータ）を始めとするメモリにデータを蓄積する機能を有する機器は主記憶装置  としてＤＲＡＭ（Ｄｙｎａｍｉｃ  Ｒａｎｄｏｍ  Ａｃｃｅｓｓ  Ｍｅｍｏｒｙ）やＳＲＡＭ（Ｓｔａｔｉｃ  ＲＡＭ）等を使用している。このＤＲＡＭやＳＲＡＭは揮発性メモリであるため、記憶データを保持するためには常に電力の供給を受けなければならず、不慮の原因等により電力供給が杜絶えると、記憶データが失われてしまう。
【０００３】
そこで、最近では主記憶装置をバッテリー（二次電池）によりバックアップしているものが増えてきている。
【０００４】
例えば、デジタル複合機では、送信予約や記録紙切れの場合のための一時蓄積用メモリを備えており、停電や電源ＯＦＦ時における画像保持のため、画像用メモリをバッテリーによりバックアップしているものが多い。近年は、デジタル複合機の高解像度化、カラー化または機能の増大等で蓄積用メモリの容量が大きくなり、バックアップの電力が更に必要になってきている。これにより、バックアップできる時間が短縮したり、容量が大きいバッテリーが必要になり、また、バッテリーは充放電を繰り返すことにより、寿命が低下するという問題もある。
【０００５】
このような問題を解決する技術として、蓄積用メモリに有効なデータが存在するか否かの判別に基づいて蓄積メモリにバックアップの電力を供給するかを決定するものがある（例えば、特許文献１参照。）。
【０００６】
【特許文献１】
特開平７−２６２０９７号公報
【発明が解決しようとする課題】
しかし、特許文献１では、有効データのうち保存すべき文書と保存すべきでない文書とを区別することができず、不要な文書まで蓄積用メモリに保存していたため、メモリ資源の消費またはバックアップ電力の無駄使いとなっていた。
【０００７】
そこで、本発明は、メモリバックアップ用電池の不必要な消耗を防ぎ、メモリ資源の有効な活用を図ることが可能な記憶制御装置および方法を提供することを目的とする。
【０００８】
【課題を解決するための手段】
上記目的を達成するため、請求項１の発明は、データの保持に電力を要するメモリに対して該電力の供給を制御する記憶制御装置において、主電源の電力を前記メモリに供給する主電源供給手段と、前記主電源の電力により充電されるバックアップ電力を前記メモリに供給するバックアップ供給手段と、前記メモリに対する前記主電源供給手段による電力の供給が不可能な時に、該主電源供給手段による電力の供給から前記バックアップ供給手段による電力の供給に切り替える切替手段と、前記メモリが前記データを記憶する状況に応じて前記切替手段を制御する切替制御手段とを具備し、前記切替制御手段は、前記メモリが前記データを記憶している途中で該データの記憶を中止した場合、前記切替手段による切り替えを禁止することを特徴とする。
【０００９】
また、請求項２の発明は、請求項１の発明において、前記切替制御手段は、通信回線を介して前記メモリに記憶されているデータを送信する場合、前記切替手段による切り替えを禁止することを特徴とする。
【００１０】
また、請求項３の発明は、請求項２の発明において、前記切替制御手段は、前記通信回線を介して前記メモリに記憶されているデータを送信し、該送信が中止になった場合、前記切替手段による切り替えを禁止することを特徴とする。
【００１１】
また、請求項４の発明は、請求項３の発明において、前記切替制御手段は、前記通信回線を介して前記メモリに記憶されているデータを送信し、送信先が話し中である場合、前記切替手段による切り替えを許可することを特徴とする。
【００１２】
また、請求項５の発明は、請求項１の発明において、前記主電源供給手段の電圧を監視する電圧監視手段を更に具備し、前記切替制御手段は、通信回線を介して前記メモリに記憶されているデータを送信する際に、前記電圧監視手段が前記主電源供給手段の電圧の低下を検出した場合、前記切替手段による切り替えを禁止することを特徴とする。
【００１３】
また、請求項６の発明は、請求項５の発明において、前記切替制御手段は、前記通信回線を介して前記メモリに記憶されているデータを時刻指定送信する際に、前記電圧監視手段が前記主電源供給手段の電圧の低下を検出した場合、前記切替手段による切り替えを許可し、指定された時刻まで前記バックアップ供給手段による電力の供給を許可することを特徴とする。
【００１４】
また、請求項７の発明は、請求項６の発明において、前記切替制御手段は、前記指定された時刻になると、前記バックアップ供給手段による電力の供給を禁止することを特徴とする。
【００１５】
また、請求項８の発明は、請求項１の発明において、前記切替制御手段は、前記通信回線を介して受信したデータを前記メモリに記憶する場合、該データの相手先情報に基づき、前記切替手段による切り替えを許可するか否かを選択することを特徴とする。
【００１６】
また、請求項９の発明は、請求項８の発明において、前記通信回線を介して受信したデータの内容を文字認識する文字認識手段を更に具備し、前記切替制御手段は、前記文字認識手段で認識した文字内容に基づき、前記切替手段による切り替えを許可するか否かを選択することを特徴とする。
【００１７】
また、請求項１０の発明は、請求項８の発明において、前記相手先情報に対する前記バックアップ電池供給手段による電力の供給を行うか否かの選択を予め登録する登録手段を更に具備することを特徴とする。
【００１８】
また、請求項１１の発明は、請求項１０の発明において、前記登録手段に登録する相手先情報は、相手先名、電話番号、ＦＡＸ番号、電子メールアドレス、タイトル、文字内容であることを特徴とする。
【００１９】
また、請求項１２の発明は、データの保持に電力を要するメモリに対して該電力の供給を制御する記憶制御方法において、メモリに対する主電源からの電力の供給が不可能な時に、該メモリに対して該主電源からの電力の供給から、該主電源の電力により充電されるバックアップ電力からの電力の供給に切り替え、前記メモリが前記データを記憶している途中で該データの記憶を中止した場合、前記切り替えを禁止することを特徴とする。
【００２０】
また、請求項１３の発明は、請求項１２の発明において、通信回線を介して前記メモリに記憶されているデータを送信する場合、前記切り替えを禁止することを特徴とする。
【００２１】
また、請求項１４の発明は、請求項１３の発明において、前記通信回線を介して前記メモリに記憶されているデータを送信し、該送信が中止になった場合、前記切り替えを禁止することを特徴とする。
【００２２】
また、請求項１５の発明は、請求項１４の発明において、前記通信回線を介して前記メモリに記憶されているデータを送信し、送信先が話し中である場合、前記切り替えを許可することを特徴とする。
【００２３】
また、請求項１６の発明は、請求項１２の発明において、前記主電源の電圧を監視し、通信回線を介して前記メモリに記憶されているデータを送信する際に、前記主電源の電圧の低下を検出した場合、前記切り替えを禁止することを特徴とする。
【００２４】
また、請求項１７の発明は、請求項１６の発明において、前記通信回線を介して前記メモリに記憶されているデータを時刻指定送信する際に、前記主電源の電圧の低下を検出した場合、前記切り替えを許可し、指定された時刻まで該バックアップ電力からの電力の供給を行うことを特徴とする。
【００２５】
また、請求項１８の発明は、請求項１７の発明において、前記指定された時刻になると、前記バックアップ電池からの電力の供給を禁止することを特徴とする。
【００２６】
また、請求項１９の発明は、請求項１２の発明において、前記通信回線を介して受信したデータを前記メモリに記憶する場合、該データの相手先情報に基づき、前記切り替えを許可するか否かを選択することを特徴とする。
【００２７】
また、請求項２０の発明は、請求項１９の発明において、前記通信回線を介して受信したデータの内容を文字認識し、該認識した文字内容に基づき、前記切り替えを許可するか否かを選択することを特徴とする。
【００２８】
また、請求項２１の発明は、請求項１９の発明において、前記相手先情報に対する前記切り替えを許可するか否かの選択を予め登録することを特徴とする。
【００２９】
また、請求項２２の発明は、請求項２１の発明において、前記相手先情報は、相手先名、電話番号、ＦＡＸ番号、電子メールアドレス、タイトル、文字内容であることを特徴とする。
【００３０】
【発明の実施の形態】
以下、本発明に係わる記憶制御装置および方法の実施の形態について添付図面を参照して詳細に説明する。なお、本発明に係わる記憶制御装置がファクシミリ機能および複写機能を有する複合機に組み込まれている構成を実施例として説明する。
【００３１】
図１は、本発明に係わる記憶制御装置１を組み込む複合機２の機能的な構成の一例を示すブロック図である。
【００３２】
図１に示すように、複合機２は、複合機全体を制御するＣＰＵ（Ｃｅｎｔｒａｌ  Ｐｒｏｃｅｓｓｉｎｇ  Ｕｎｉｔ）３、ＣＰＵ３の動作プログラムを記憶するＲＯＭ（Ｒｅａｄ  Ｏｎｌｙ  Ｍｅｍｏｒｙ）４、複合機２のメインメモリとして利用されるＲＡＭ（Ｒａｎｄｏｍ  Ａｃｃｅｓｓ  Ｍｅｍｏｒｙ）５、通信回線６を介して符号化データの送受信を行う回線制御部７、メモリ８に蓄積されたデータを用紙に印刷して出力するプリンタモジュール部９、原稿を光学的に読み取るスキャナであるスキャナモジュール部１０、各種操作ボタンを有する操作部１１、メモリ８、記憶制御装置１、電源を供給する電源部１２から構成されている。
【００３３】
ここで、メモリ８は、スキャナモジュール部１０により読み取った画像データおよび回線制御部７により受信した画像データを記憶保持する。なお、メモリ８には、電源を切ると記憶内容が失われる半導体メモリである揮発性メモリを用いることとし、例えば、ＤＲＡＭ（Ｄｙｎａｍｉｃ  Ｒａｎｄｏｍ  Ａｃｃｅｓｓ  Ｍｅｍｏｒｙ）等がこれに当たる。
【００３４】
また、記憶制御装置１は、バックアップ用の２次電池を有し、メモリ８に対して電源部１２からの電力を供給するか、若しくは２次電池の電力を供給するかを、状況に応じて制御する。
【００３５】
図２は、記憶制御装置１の詳細な構成の一例を示すブロック図である。
【００３６】
図２に示すように、記憶制御装置１は、２次電池１３、充電回路１４、放電回路１５、制御部１６、電圧監視部１７、切替制御部１８、スイッチＡ１９、スイッチＢ２０から構成され、複合機２の電源がＯＮである時には電源部１２からの電力をメモリ８に供給するとともに２次電池１３の充電を行い、複合機２の電源がＯＦＦである時には２次電池１３からの電力をバックアップ用の電力としてメモリ８に供給する。
【００３７】
ここで、２次電池１３はメモリ８、時計２１およびＲＡＭ２２等のバックアップ用の電池であり、充電回路１４は複合機２の電源がＯＮである時に２次電池１３の充電を行い、放電回路１５は複合機２の電源がＯＦＦである時に２次電池１３の電力をバックアップ用の電力としてメモリ８、時計２１およびＲＡＭ２２等に供給する。
【００３８】
また、電圧監視部１７は電源ライン２３の電圧を監視し、電圧の低下を検知した際には制御部１６に電圧の低下を知らせ、制御部１６は電圧の低下の知らせを受け取ると、切替制御部１８に対してスイッチＡ１９、スイッチＢ２０の切り替えを指示し、切替制御部１８は指示を受け取ると、スイッチＡ１９、スイッチＢ２０の切り替えを行う。なお、制御部１６はスキャナモジュール部１０での原稿のスキャン状況、ＦＡＸ送信の状況またはＦＡＸ受信データの相手先情報に基づき、切替制御部１８に対してスイッチＡ１９またはスイッチＢ２０の切り替えを指示する。
【００３９】
複合機２の電源がＯＮである時は、電源部１２からの電力がメモリ８に供給される経路にスイッチＡ１９およびスイッチＢ２０が切り替わり（スイッチＡ１９がＨ且つスイッチＢ２０がＬ、またはスイッチＢ２０がＨ）、２次電池１３は充電回路１４により電源部１２の電力で充電され、複合機２の電源がＯＦＦである時は、２次電池１３からの電力がメモリ８に供給される経路にスイッチＡ１９およびスイッチＢ２０が切り替わり（スイッチＡ１９がＬ且つスイッチＢ２０がＬ）、２次電池１３は放電回路１５により電力を放電し、放電された電力はメモリ８に供給される。
【００４０】
次に、ＦＡＸ送信する際にスキャンが中止された場合の複合機２が行う処理手順について図３に示すフローチャートを参照して説明する。
【００４１】
原稿をスキャンし（ステップＳ３０１）、スキャンが中止された場合（ステップＳ３０２でＹＥＳ）、スイッチＢをＨに切り替え（ステップＳ３０３）、処理手順を終了する。
【００４２】
また、ステップＳ３０２において、スキャンが中止されなかった場合（ステップＳ３０２でＮＯ）、スキャンが完了すると（ステップＳ３０４でＹＥＳ）、送信先へダイヤルし（ステップＳ３０５）、送信先が話し中であるか否か確認する（ステップ３０６）。
【００４３】
ここで、ステップＳ３０６において、送信先が話し中でない場合（ステップＳ３０６でＮＯ）、ＦＡＸ送信を開始し、正常に送信が完了した場合（ステップＳ３０７でＹＥＳ）、スキャンデータを消去し（ステップＳ３０８）、処理手順を終了する。
【００４４】
また、ステップＳ３０７において、正常に送信が完了しなかった場合（ステップＳ３０７でＮＯ）、スイッチＢをＨに切り替え（ステップＳ３０３）、処理手順を終了する。
【００４５】
また、ステップＳ３０６において、送信先が話し中である場合（ステップＳ３０６でＹＥＳ）、スイッチＢをＬに切り替え（ステップＳ３０９）、リダイヤル処理を行い（ステップＳ３１０）、ステップＳ３０６に戻る。
【００４６】
従って、ＦＡＸ送信を中止する場合、スキャンした画像データのバックアップは不要と判断し、スイッチＢ２０をＨに切り替えることで、２次電池１３からの電力がメモリ８に供給されない経路に切り替える。ここで、複合機２の電源がＯＦＦになった場合、画像データへの電力供給が途絶えてしまうため、画像データは消失してしまうが、２次電池１３の消耗を抑えることができる。ただし、原稿は手元にあるので、再送信する際には原稿を再度スキャンすれば良い。
【００４７】
また、相手先不応答、番号間違い、何らかの原因による回線断、プロトコル不整合、ノイズ等による通信不良でＦＡＸ送信が正常に完了しなかった場合、その後リダイヤルしても通信が成立する可能性は低いため、スキャンした画像データのバックアップは不要と判断し、スイッチＢ２０をＨに切り替えることで、２次電池１３からの電力がメモリに供給されない経路に切り替える。ここで、複合機２の電源がＯＦＦになった場合、画像データへの電力供給が途絶えてしまうため、画像データは消失してしまうが、２次電池１３の消耗を抑えることができる。ただし、原稿は手元にあるので、再送信する際には原稿を再度スキャンすれば良い。ただし、相手先が話し中でＦＡＸ送信が完了しなかった場合、ビジネス向けの複合機２ではリダイヤルして再送信を試みる機能を有するものが多いため、スキャンした画像データのバックアップは必要と判断し、スイッチＢ２０をＬに切り替えることで、２次電池１３からの電力がメモリに供給される経路に切り替える。ここで、複合機２の電源がＯＦＦになった場合、画像データへの電力は供給され続けるので、画像データを記憶保持することができる。
【００４８】
次に、ＦＡＸ送信する際に電源の電圧が低下した場合の複合機２が行う処理手順について図４に示すフローチャートを参照して説明する。
【００４９】
原稿をスキャンし（ステップＳ４０１）、電圧が低下した場合（ステップＳ４０２でＹＥＳ）、時刻指定送信であるか否か確認する（ステップＳ４０３）。
【００５０】
ここで、ステップＳ４０３において、時刻指定送信でない場合（ステップＳ４０でＮＯ）、スイッチＡをＬに切り替え且つスイッチＢをＨに切り替え（ステップＳ４０４）、処理手順を終了する。
【００５１】
また、ステップＳ４０３において、時刻指定送信である場合（ステップＳ４０３）、スイッチＡをＬに切り替え且つスイッチＢをＬに切り替え（ステップＳ４０５）、電圧が復帰せず（ステップＳ４０６でＮＯ）、指定時刻を過ぎてしまった場合（ステップＳ４０７でＹＥＳ）、スイッチＡをＬに切り替え且つスイッチＢをＨに切り替え（ステップＳ４０４）、処理手順を終了する。
【００５２】
また、ステップＳ４０６において、指定時刻以前に電圧が復帰した場合（ステップＳ４０６でＹＥＳ）、スイッチＡをＨに切り替え（ステップＳ４０８）、送信先へダイヤルし（ステップＳ４０９）、電圧が低下した場合（ステップＳ４１０でＹＥＳ）、スイッチＡをＬに切り替え且つスイッチＢをＨに切り替え（ステップＳ４０４）、処理手順を終了する。
【００５３】
また、ステップＳ４１０において、電圧が低下せず（ステップＳ４１０でＮＯ）、正常に送信が完了しなかった場合（ステップＳ４１１でＮＯ）、スイッチＡをＬに切り替え且つスイッチＢをＨに切り替え（ステップＳ４０４）、処理手順を終了する。
【００５４】
また、ステップＳ４１１において、正常に送信が完了した場合（ステップＳ４１１でＹＥＳ）、スキャンデータを消去し（ステップＳ４１２）、処理手順を終了する。
【００５５】
なお、送信先が話し中の場合、図３に示すフローチャートのステップＳ３０９からステップＳ３１０の処理手順が実行される。
【００５６】
従って、ＦＡＸ送信時に停電または電源がＯＦＦになった場合、スキャンした画像データのバックアップは不要と判断し、スイッチＢ２０をＨに切り替えることで、２次電池１３からの電力がメモリに供給されない経路に切り替え、画像データへの電力供給が途絶えてしまうため、画像データは消失するが、２次電池１３の消耗を抑えることができる。ただし、原稿は手元にあるので、再送信する際には原稿を再度スキャンすれば良い。
【００５７】
また、ＦＡＸ送信が時刻指定送信に設定され、指定時刻以前に停電または電源がＯＦＦになった場合、スキャンした画像データのバックアップは必要と判断し、スイッチＢ２０をＬに切り替えることで、２次電池からの電力がメモリに供給される経路に切り替え、画像データへの電力は供給され続けるため、画像データを記憶保持することができる。そして、指定時刻まで画像データを記憶保持し、指定時刻以前に電圧が復帰すれば、記憶保持している画像データをＦＡＸ送信することができ、指定時刻になっても電圧が復帰しなければ、スキャンした画像データのバックアップは不要と判断し、スイッチＢ２０をＨに切り替えることで、２次電池１３からの電力がメモリに供給されない経路に切り替え、画像データへの電力供給が途絶えてしまうため、画像データは消失するが、２次電池の消耗を抑えることができる。ただし、原稿は手元にあるので、再送信する際には原稿を再度スキャンすれば良い。
【００５８】
次に、ＦＡＸ受信する際に複合機２が行う処理手順について図５に示すフローチャートを参照して説明する。
【００５９】
ＦＡＸ受信し（ステップＳ５０１）、受信データの相手先情報を判別し（ステップＳ５０２）、受信データがバックアップ対象であるか否か確認する（ステップＳ５０３）。
【００６０】
ここで、ステップＳ５０３において、受信データがバックアップ対象である場合（ステップＳ５０３でＹＥＳ）、スイッチＢをＬに切り替え（ステップＳ５０４）、受信データを出力し（ステップＳ５０５）、出力が完了すると（ステップＳ５０６でＹＥＳ）、受信データを消去し（ステップＳ５０７）、処理手順を終了する。
【００６１】
また、ステップＳ５０３において、受信データがバックアップ対象でない場合（ステップＳ５０３でＮＯ）、スイッチＢをＨに切り替え（ステップＳ５０８）、ステップＳ５０５に進む。
【００６２】
従って、相手先と通信をやりとりする際に相手先の情報を取り出し、相手先の情報に基づいて受信データのバックアップの選択を決定することで、受信データ毎にバックアップの選択を行うことができる。
【００６３】
図６は、相手先の情報に対するバックアップ対象を登録した管理テーブル２４の一例を示す図である。
【００６４】
図６に示すように、管理テーブル２４には、相手先の情報として、「相手先名」、「相手番号」、「タイトル」、「文書内容」のカテゴリー別で管理している。例えば、「相手先名」のカテゴリーでは、「ＡＡＡＡ」と「ＢＢＢＢ」とからの受信データはバックアップ不要に登録され、「その他」の相手先名からの受信データはバックアップ必要に登録され、また、「相手番号」のカテゴリーでは、「０１２−３４５６−００００」からの受信データはバックアップ不要に登録され、「その他」の相手番号からの受信データはバックアップ必要に登録され、また、「タイトル」のカテゴリーでは、タイトルに「＊広告＊」の文字を含む受信データはバックアップ不要に登録され、タイトルに「その他」の文字を含む受信データはバックアップ必要に登録され、「文書内容」のカテゴリーでは、文書内容に「ＡＡ株式会社」の文字を含む受信データはバックアップ不要に登録され、文書内容に「その他」の文字を含む受信データはバックアップ必要に登録されている。
【００６５】
従って、相手先の情報として、相手先名、相手番号、受信データ内のタイトルおよび受信データ内の文書内容等に対するバックアップ対象を管理テーブルに予め登録し、相手先と通信をやりとりする際に相手先名、相手番号等を取り出し、管理テーブルに基づいて受信データのバックアップの不必要を決定することで、受信データの相手先毎にバックアップの選択を行うことができ、更に、受信データの文字認識を行うことで、受信データ内のタイトルおよび文書内容等を取り出し、管理テーブルに基づいて受信データのバックアップの不必要を決定することで、受信データの内容毎にバックアップの選択を行うことができ、２次電池１３の消耗を抑えることができる。例えば、ダイレクトメールのような重要度が低いものについてはバックアップ不要とし、迷惑ＦＡＸとして指定した相手先からの画像データはバックアップ不要とするような選択を行うことができる。
【００６６】
なお、本発明に係わる記憶制御装置の実施は、ＦＡＸ通信に限定することなく、ＦＡＸ通信以外の通信でも適用可能であり、例えば、インターネットにおけるプロトコルを用いる通信の場合、メールアドレス、アドレス内のドメイン情報に対するバックアップ対象を管理テーブルに予め登録しても良い。
【００６７】
また、本発明に係わる記憶装置の実施は、複合機以外でもメモリにデータを記憶保持する機能を有する機器であれば、家電または他の電気機器、例えば、携帯端末等であっても適用可能である。
【００６８】
【発明の効果】
以上説明したように本発明によれば、メモリバックアップ用電池の不必要な消耗を防ぎ、メモリ資源の有効な活用を図ることが可能になるという効果を奏する。
【図面の簡単な説明】
【図１】本発明に係わる記憶制御装置１を組み込む複合機２の機能的な構成の一例を示すブロック図である。
【図２】記憶制御装置１の詳細な構成の一例を示すブロック図である。
【図３】ＦＡＸ送信する際にスキャンが中止された場合の複合機２が行う処理手順を示すフローチャートである。
【図４】ＦＡＸ送信する際に電源の電圧が低下した場合の複合機２が行う処理手順を示すフローチャートである。
【図５】ＦＡＸ受信する際に複合機２が行う処理手順を示すフローチャートである。
【図６】相手先の情報に対するバックアップ対象を登録した管理テーブル２４の一例を示す図である。
【符号の説明】
１    記憶制御装置
２    複合機
３    ＣＰＵ
４    ＲＯＭ
５    ＲＡＭ
６    通信回線
７    回線制御部
８    メモリ
９    プリンタモジュール部
１０    スキャナモジュール部
１１    操作部
１２    電源部
１３    ２次電池
１４    充電回路
１５    放電回路
１６    制御部
１７    電圧監視部
１８    切替制御部
１９    スイッチＡ
２０    スイッチＢ
２１    時計
２２    ＲＡＭ
２３    電源ライン
２４    管理テーブル
【図１】
2005018444.tif 000003
【図２】
2005018444.tif 000004
【図３】
2005018444.tif 000005
【図４】
2005018444.tif 000006
【図５】
2005018444.tif 000007
【図６】
2005018444.tif 000008